(57)【要約】【課題】より詳細なドライブ記録の作成を支援する携帯端末装置を提供すること。【解決手段】本発明の実施例に係る携帯端末装置４０は、通信を介して車載装置５０に接続される。また、携帯端末装置４０は、位置情報を検出する位置検出装置９と、車載装置５０が記録或いは出力する管理対象情報に、位置検出装置９が検出する位置情報を対応付ける情報対応付け部１１と、を有する。また、携帯端末装置４０は、位置検出装置９が検出する位置情報に基づいて移動経路情報を記録する移動経路情報記録部１０と、情報対応付け部１１が行った対応付けに基づいて、車載装置５０が記録或いは出力した管理対象情報を移動経路情報に関連付ける情報関連付け部１２とを有する。【選択図】図１
2014048831.tif 000002
【特許請求の範囲】
【請求項１】
通信を介して車載装置に接続される携帯端末装置であり、
位置情報を検出する位置検出装置と、
前記車載装置が記録或いは出力する管理対象情報に、前記位置検出装置が検出する位置情報を対応付ける情報対応付け部と、を有する、
携帯端末装置。
【請求項２】
前記位置検出装置が検出する位置情報に基づいて移動経路情報を記録する移動経路情報記録部と、
前記情報対応付け部が行った対応付けに基づいて、前記車載装置が記録或いは出力した管理対象情報を、前記移動経路情報に関連付ける情報関連付け部と、を有する、
請求項１に記載の携帯端末装置。
【請求項３】
前記情報関連付け部によって前記移動経路情報に関連付けられた管理対象情報を再出力する情報再出力部を有する、
請求項２に記載の携帯端末装置。
【請求項４】
前記管理対象情報は、再生されたコンテンツである、
請求項１乃至３の何れか一項に記載の携帯端末装置。
【請求項５】
前記管理対象情報は、走行中に撮像した画像である、
請求項１乃至４の何れか一項に記載の携帯端末装置。
【請求項６】
通信を介して携帯端末装置に接続される車載装置であり、
位置情報を検出する位置検出装置と、
前記携帯端末装置が記録或いは出力する管理対象情報に、前記位置検出装置が検出する位置情報を対応付ける情報対応付け部と、を有する、
車載装置。
【請求項７】
通信を介して車載装置と携帯端末装置とを連携させる情報処理システムであり、
位置情報を検出する位置検出装置と、
前記車載装置及び前記携帯端末装置のそれぞれが記録或いは出力する管理対象情報に、前記位置検出装置が検出する位置情報を対応付ける情報対応付け部と、を有する、
情報処理システム。
【発明の詳細な説明】
【技術分野】
【０００１】
本発明は、通信を介して互いに接続される携帯端末装置及び車載装置、並びに、通信を介して携帯端末装置と車載装置とを連携させる情報処理システムに関する。
【背景技術】
【０００２】
従来、通信を介して互いに接続される携帯端末装置及び車載装置を含む行動履歴管理システムが知られている（特許文献１参照。）。
【０００３】
この行動履歴管理システムは、携帯端末装置と車載装置との間で通信が可能か否かに基づいてドライブ中であるか否かを判断し、メール送信、ブログの書込等の携帯端末装置を利用したユーザの行動に「ドライブ中」のタグを付してその行動の履歴を記録できるようにする。
【先行技術文献】
【特許文献】
【０００４】
【特許文献１】特開２００９−２４５２２２号公報
【発明の概要】
【発明が解決しようとする課題】
【０００５】
しかしながら、この行動履歴管理システムは、携帯端末装置を利用したユーザの行動の履歴を記録するのみであり、車載装置を利用したユーザの行動の履歴を記録することはないため、ドライブ記録を作成するには不十分である。
【０００６】
上述の点に鑑み、本発明は、より詳細なドライブ記録の作成を支援する携帯端末装置、車載装置、及び、情報処理システムを提供することを目的とする。
【課題を解決するための手段】
【０００７】
上述の目的を達成するために、本発明の実施例に係る携帯端末装置は、通信を介して車載装置に接続される携帯端末装置であり、位置情報を検出する位置検出装置と、前記車載装置が記録或いは出力する管理対象情報に、前記位置検出装置が検出する位置情報を対応付ける情報対応付け部と、を有する。
【０００８】
また、本発明の実施例に係る車載装置は、通信を介して携帯端末装置に接続される車載装置であり、位置情報を検出する位置検出装置と、前記携帯端末装置が記録或いは出力する管理対象情報に、前記位置検出装置が検出する位置情報を対応付ける情報対応付け部と、を有する。
【０００９】
また、本発明の実施例に係る情報処理システムは、通信を介して車載装置と携帯端末装置とを連携させる情報処理システムであり、位置情報を検出する位置検出装置と、前記車載装置及び前記携帯端末装置のそれぞれが記録或いは出力する管理対象情報に、前記位置検出装置が検出する位置情報を対応付ける情報対応付け部と、を有する。
【発明の効果】
【００１０】
上述の手段により、本発明は、より詳細なドライブ記録の作成を支援する携帯端末装置、車載装置、及び、情報処理システムを提供することができる。
【図面の簡単な説明】
【００１１】
【図１】本発明の実施例に係る情報処理システムの構成例を示すブロック図である。
【図２】図１の携帯端末装置の正面図である。
【図３】携帯端末装置がドックに装着された状態を示す図である。
【図４】移動経路情報記録処理の流れを示すフローチャートである。
【図５】情報対応付け処理の流れを示すフローチャートである。
【図６】ドライブ記録再生処理の流れを示すフローチャートである。
【図７】ドライブ記録再生画面の例を示す図である。
【発明を実施するための形態】
【００１２】
以下、図面を参照しつつ、本発明を実施するための形態の説明を行う。
【００１３】
図１は、本発明の実施例に係る情報処理システム１００の構成例を示すブロック図である。情報処理システム１００は、携帯端末装置４０と車載装置５０とを連携させるシステムであり、携帯端末装置４０及び車載装置５０を構成要素として含む。また、図２は、携帯端末装置４０の正面図である。本実施例では、情報処理システム１００は、携帯端末装置４０及び車載装置５０のそれぞれで記録或いは出力される管理対象情報と位置情報とを対応付ける。また、情報処理システム１００は、位置情報が対応づけられた管理対象情報と移動経路情報とを関連付ける。これにより、情報処理システム１００は、詳細なドライブ記録を再出力可能に作成することができる。
【００１４】
「管理対象情報」とは、移動経路情報と関連付けて管理される情報であり、例えば、再出力可能な映像情報、画像情報、音声情報等のコンテンツを含む。具体的には、車載カメラで撮像された画像（例えば、乗車中又は走行中に車室内又は車外を撮像した画像）、車載マイクで録音された音声（例えば、搭乗者間の会話）、車載スピーカから出力された音声（例えば、乗車中又は走行中に再生された音楽）、携帯端末装置４０又は他の携帯端末装置のカメラで撮像された画像（例えば、降車中（離車中）に撮像した画像）、携帯端末装置４０又は他の携帯端末装置で録音或いは再生された音声等を含む。なお、管理対象情報は、携帯端末装置４０、車載装置５０、及び他の携帯端末装置のそれぞれに分散して保存されてもよく、携帯端末装置４０、車載装置５０、及び他の携帯端末装置の何れかに集中して保存されてもよい。
【００１５】
「移動経路情報」とは、ユーザが辿った道に関する情報であり、例えば、時間情報と位置情報との組み合わせを任意の期間にわたって継続的に記録したデータセットである。
【００１６】
「ドライブ記録」とは、過去のドライブの状況の記録情報であり、例えば、管理対象情報と移動経路情報とを関連付けることによって生成されるデータセットである。また、「ドライブ記録の再出力」とは、移動経路情報に含まれる位置情報に対応する管理対象情報を再出力することを意味し、具体的には、過去のドライブの進行、すなわち位置情報の変化にしたがって画像を再表示したり音声を再出力したりすることを意味する。
【００１７】
携帯端末装置４０は、乗員が携帯する端末装置であり、例えば、携帯電話、スマートフォン、ＰＤＡ（Personal Digital Assistance）、携帯型ゲーム機、タブレット型コンピュータ等を含む。本実施例では、携帯端末装置４０は、スマートフォンであり、主に、制御装置１、情報取得装置２、タッチパネル３、通信装置４、記憶装置５、表示装置６、音声入力装置７、音声出力装置８、及び位置検出装置９を含む。
【００１８】
制御装置１は、携帯端末装置４０を制御する装置であり、本実施例では、ＣＰＵ（Central Processing Unit）、ＲＡＭ(Random Access Memory)、ＲＯＭ（Read Only Memory）等を備えたコンピュータである。制御装置１は、例えば、後述の移動経路情報記録部１０、情報対応付け部１１、情報関連付け部１２、及び情報再出力部１３の各機能要素に対応するプログラムをＲＯＭから読み出してＲＡＭに展開し、各機能要素に対応する処理をＣＰＵに実行させる。なお、各機能要素に対応するプログラムは、通信ネットワークを通じてダウンロードされてもよく、記録媒体に記録された状態で提供されてもよい。
【００１９】
情報取得装置２は、外部から情報を取得する装置であり、本実施例では、携帯電話回線、公衆無線ＬＡＮ等を利用するための無線通信装置である。
【００２０】
タッチパネル３は、携帯端末装置４０が搭載する操作入力装置の１つであり、例えば、表示装置６上に配置される、マルチタッチジェスチャ機能をサポートするマルチタッチ式のタッチパネルである。
【００２１】
通信装置４は、外部機器との間の通信を制御する装置である。本実施例では、通信装置４は、近距離無線通信（以下、「ＮＦＣ（Near Field Communication）」とする。）を介して、車載装置５０の通信装置４Ｖに接続される。なお、通信装置４と通信装置４Ｖとの間の通信には、Bluetooth（登録商標）、Wi-Fi（登録商標）等を利用した無線通信が用いられてもよく、ＵＳＢ（Universal Serial Bus）等を利用した有線通信が用いられてもよい。
【００２２】
本実施例では、通信装置４は、周期的に応答要求信号を発信する。通信装置４Ｖは、その応答要求信号を受信すると応答信号を通信装置４に返信する。そして、通信装置４は、その応答信号を受信すると通信装置４Ｖとの間で無線通信を確立する。なお、通信装置４Ｖが周期的に応答要求信号を発信してもよく、通信装置４及び通信装置４Ｖのそれぞれが周期的に応答要求信号を発信してもよい。この場合、通信装置４は、その応答要求信号を受信すると応答信号を通信装置４Ｖに返信する。そして、通信装置４Ｖは、その応答信号を受信すると通信装置４との間で無線通信を確立する。また、通信装置４は、通信装置４Ｖとの間で無線通信を確立したときに、無線通信が確立したことを知らせる制御信号を制御装置１に対して出力する。
【００２３】
また、通信装置４は、車載装置５０との間で通信を行う場合と同様に、車載装置５０以外の他の外部機器との間で通信を行うようにしてもよい。例えば、通信装置４は、通信装置４Ｖとの間で通信を行いながら、他の携帯端末装置の通信装置との間で無線通信を行うようにしてもよい。
【００２４】
記憶装置５は、各種情報を記憶する装置であり、例えば、フラッシュメモリ等の不揮発性の半導体メモリを含む。本実施例では、記憶装置５は、管理対象情報、移動経路情報、及びそれらに関連する情報等を記憶する。
【００２５】
表示装置６は、各種情報を表示する装置であり、例えば、液晶ディスプレイである。音声入力装置７は、音声を入力する装置であり、例えば、マイクである。音声出力装置８は、各種情報を音声出力する装置であり、例えば、スピーカである。
【００２６】
位置検出装置９は、携帯端末装置４０の位置を検出するための装置である。本実施例では、位置検出装置９は、ＧＰＳ(Global Positioning System)アンテナを介してＧＰＳ衛星が出力するＧＰＳ信号を受信するＧＰＳ受信機である。位置検出装置９は、受信したＧＰＳ信号に基づいて携帯端末装置４０の位置（緯度、経度、高度）を検出し、検出結果を位置情報として制御装置１に対して出力する。
【００２７】
次に、車載装置５０について説明する。車載装置５０は、車両に搭載される装置であり、主に、制御装置１Ｖ、車載カメラ２Ｖ、タッチパネル３Ｖ、通信装置４Ｖ、記憶装置５Ｖ、表示装置６Ｖ、音声入力装置７Ｖ、及び音声出力装置８Ｖを含む。
【００２８】
制御装置１Ｖは、車載装置５０を制御する装置であり、本実施例では、ＣＰＵ、ＲＡＭ、ＲＯＭ等を備えたコンピュータである。
【００２９】
車載カメラ２Ｖは、車室内を撮像するカメラである。本実施例では、車載カメラ２Ｖは、手をかざすと自動的にシャッタが切れるように構成され、撮像した画像情報を記憶装置５Ｖに保存する。また、車載カメラ２Ｖは、携帯端末装置４０と車載装置５０との間で通信が確立している場合には、撮像した画像情報を携帯端末装置４０の記憶装置５に保存してもよい。なお、画像情報は、動画像情報であってもよく、静止画像情報であってもよい。
【００３０】
音声入力装置７Ｖは、車室内の音声を録音する車載マイクである。本実施例では、音声入力装置７Ｖは、車室内で生じた音の音量が所定レベル以上になると自動的に録音を開始するように構成され、録音した音声情報を記憶装置５Ｖに保存する。また、音声入力装置７Ｖは、携帯端末装置４０と車載装置５０との間で通信が確立している場合には、録音した音声情報を携帯端末装置４０の記憶装置５に保存してもよい。
【００３１】
制御装置１Ｖは、車載カメラ２Ｖで撮像が行われた場合、音声入力装置７Ｖで録音が行われた場合等、車載装置５０で管理対象情報が記録或いは出力された場合には、その旨を知らせる制御信号を携帯端末装置４０の制御装置１に対して出力する。
【００３２】
なお、タッチパネル３Ｖ、通信装置４Ｖ、記憶装置５Ｖ、表示装置６Ｖ、及び音声出力装置８Ｖは、携帯端末装置４０のタッチパネル３、通信装置４、記憶装置５、表示装置６、及び音声出力装置８と同様であるため、その説明を省略する。
【００３３】
次に、携帯端末装置４０の制御装置１で動作する機能要素について説明する。
【００３４】
移動経路情報記録部１０は、移動体の辿った道を記録する構成要素である。本実施例では、移動経路情報記録部１０は、位置検出装置９が出力する位置情報を時系列に記録することによって移動経路情報を作成する。
【００３５】
また、移動経路情報記録部１０は、操作者による所定の操作入力に応じて位置情報の時系列記録を開始させ或いは終了させる。なお、移動経路情報記録部１０は、位置情報の時系列記録を自動的に開始させ或いは終了させてもよい。例えば、移動経路情報記録部１０は、携帯端末装置４０と車載装置５０との間で無線通信が確立されたときに位置情報の記録を開始させ、その無線通信が遮断されたときに位置情報の記録を終了させてもよい。或いは、移動経路情報記録部１０は、携帯端末装置４０又は車載装置５０で経路案内が開始されたときに位置情報の記録を開始させ、目的地に到着したときに位置情報の記録を終了させてもよい。
【００３６】
具体的には、移動経路情報記録部１０は、位置情報とその位置情報を取得した時刻に関する時間情報とを含む単位レコードを有する移動経路情報データベースを更新する。なお、移動経路情報データベースは、例えば、記憶装置５に記憶されている。
また、移動経路情報記録部１０は、移動経路情報データベースの更新を一定周期で行う場合には、時間情報の記録を省略してもよい。
【００３７】
情報対応付け部１１は、管理対象情報と位置情報とを対応付ける機能要素である。本実施例では、情報対応付け部１１は、携帯端末装置４０及び車載装置５０のそれぞれで記録或いは出力された管理対象情報と、その時点において位置検出装置９が出力する位置情報とを対応付ける。
【００３８】
また、情報対応付け部１１は、携帯端末装置４０と車載装置５０又は他の携帯端末装置との間で無線通信が確立している場合には、車載装置５０又は他の携帯端末装置で管理対象情報が記録或いは出力されたときであっても、携帯端末装置４０で管理対象情報が記録或いは出力されたときと同様に管理対象情報と位置情報とを対応付ける。
【００３９】
また、情報対応付け部１１は、携帯端末装置４０と車載装置５０又は他の携帯端末装置との間で無線通信が確立していない場合に車載装置５０又は他の携帯端末装置で管理対象情報が記録或いは出力されたときには、その後に無線通信が確立したときにその管理対象情報と位置情報とを対応付けてもよい。
【００４０】
本実施例では、情報対応付け部１１は、管理対象情報の保存場所に関する情報と位置情報とを含む単位レコードを有する管理対象情報データベースを更新する。なお、管理対象情報データベースは、例えば、記憶装置５に記憶されている。また、管理対象情報データベースの単位レコードは、再生・録音・録画開始時刻、再生・録音・録画時間、再生・録音・録画終了時刻等の出力情報を有していてもよい。また、情報対応付け部１１は、管理対象情報である画像情報自体（画像ファイル）又は音声情報自体（音声ファイル）に位置情報を付加してもよい。
【００４１】
また、情報対応付け部１１は、管理対象情報が音声情報である場合、その音声情報の再生又は録音が開始した時点の位置情報と、その音声情報の再生又は録音が終了した時点の位置情報とをその音声情報に対応付けてもよい。また、情報対応付け部１１は、管理対象情報が動画像情報である場合、その動画像情報の再生又は録画が開始した時点の位置情報と、その動画像情報の再生又は録画が終了した時点の位置情報とをその動画像情報に対応付けてもよい。なお、情報対応付け部１１は、管理対象情報が静止画像情報である場合には、その静止画像情報の表示又は撮像が行われた時点の位置情報をその静止画像情報に対応付けてもよい。
【００４２】
また、情報対応付け部１１は、管理対象情報が記録時刻又は出力時刻に関する時間情報を有する場合には、その時間情報と移動経路情報における時間情報及び位置情報の関係とに基づき、管理対象情報が記録或いは出力された時点の位置情報を導出してもよい。その上で、情報対応付け部１１は、導出した位置情報とその管理対象情報とを対応付けてもよい。この場合、情報対応付け部１１は、任意のタイミングで管理対象情報と位置情報との対応付けを一括して行うようにしてもよい。
【００４３】
また、情報対応付け部１１は、複数の管理対象情報と１つの位置情報とを対応づけてもよく、１つの管理対象情報と複数の位置情報とを対応付けてもよい。例えば、情報対応付け部１１は、画像情報と音声情報とを同じ１つの位置情報に対応付けてもよい。車室内の撮像と楽曲の再生とが同時に行われる場合があるためである。また、情報対応付け部１１は、１つの音声情報を複数の位置情報に対応付けてもよい。同じ楽曲が複数回再生される場合があるためである。
【００４４】
情報関連付け部１２は、管理対象情報と移動経路情報とを関連付ける機能要素である。本実施例では、情報関連付け部１２は、情報対応付け部１１によって位置情報に対応付けられた管理対象情報と、移動経路情報記録部１０によって作成された移動経路情報とを関連付ける。
【００４５】
具体的には、情報関連付け部１２は、位置情報を結合キーとして、移動経路情報データベースと管理対象情報データベースとを結合する。これにより、ユーザは、例えばドライブを行った日時を指定することによって、移動経路情報と管理対象情報との所望の組み合わせを抽出することができる。なお、移動経路情報データベース及び管理対象情報データベースは、ドライブ毎に、すなわち移動経路情報毎に個別に作成されてもよい。また、管理対象情報に対応付けられた位置情報と完全に一致する位置情報が移動経路情報データベース内に存在しない場合、情報関連付け部１２は、その管理対象情報に対応付けられた位置情報と、移動経路情報データベースにおける最も近い位置情報とを関連付けてもよい。
【００４６】
また、情報関連付け部１２は、管理対象情報データベースが更新される度に、管理対象情報と移動経路情報とを関連付けてもよく、移動経路情報の記録が終了したときに一括して管理対象情報と移動経路情報とを関連付けてもよい。また、情報関連付け部１２は、任意のタイミングで、ユーザの操作入力に応じて、管理対象情報と移動経路情報とを関連付けてもよい。
【００４７】
情報再出力部１３は、移動経路情報に関連付けられた管理対象情報を再出力する機能要素である。本実施例では、情報再出力部１３は、情報関連付け部１２によって移動経路情報に関連付けられた管理対象情報を再出力することによって、ドライブ記録を再生する。
【００４８】
具体的には、情報再出力部１３は、移動経路情報データベースにおいて時系列に並ぶ位置情報のそれぞれについて、関連付けられた管理対象情報が存在するか否かを順番に判断する。
【００４９】
関連付けられた管理対象情報が存在すると判断した場合、情報再出力部１３は、その管理対象情報を再出力する。より具体的には、情報再出力部１３は、その管理対象情報が画像情報であればその画像情報を表示装置６上に表示し、その管理対象情報が音声情報であればその音声情報を音声出力装置８から出力する。
【００５０】
また、情報再出力部１３は、移動経路情報データベースにおける任意のレコードをランダムにアクセスすることもできる。具体的には、情報再出力部１３は、ユーザの操作入力により移動経路情報データベースにおける特定のレコードが指定された場合、そのレコードの位置情報に関連付けられた管理対象情報が存在するか否かを判断する。そして、情報再出力部１３は、関連付けられた管理対象情報が存在すると判断した場合、上述のようにその管理対象情報を再出力する。
【００５１】
ここで、図３を参照しながら、情報処理システム１００が機能する際の車室内の様子について説明する。
【００５２】
図３は、携帯端末装置４０がクレードル（ドック）３０に装着された状態を示す。具体的には、図３は、ドック３０を構成する左ガイド部３０Ｌ、右ガイド部３０Ｒによって携帯端末装置４０が所定位置に保持された状態を示す。左ガイド部３０Ｌ、右ガイド部３０Ｒは、例えば樹脂材料で形成される。望ましくは、左ガイド部３０Ｌ、右ガイド部３０Ｒは、ダッシュボードと同じ材料で形成される。なお、左ガイド部３０Ｌ、右ガイド部３０Ｒは、ダッシュボードと一体的に形成されてもよい。携帯端末装置４０は、その上端部及び下端部のそれぞれをドック３０の上方から左ガイド部３０Ｌ及び右ガイド部３０Ｒのそれぞれにおける内側ガイド溝（図示せず。）に沿ってスライドさせるようにしてドック３０に装着される。また、携帯端末装置４０は、タッチパネル３及び表示装置６を運転者側に向けた状態でドック３０に保持される。この構成により、運転者は、例えば、ステアリングホイール７０を握る手を延ばしてタッチパネル３に対する操作入力を行うことができる。
【００５３】
移動経路情報記録部１０は、携帯端末装置４０がドック３０内に装着され、携帯端末装置４０と車載装置５０との間で無線通信が確立されると、位置情報の時系列記録を自動的に開始させることによって、移動経路情報の記録を開始させる。
【００５４】
その後、車載カメラ２Ｖによって車室内の画像が撮像されると、情報対応付け部１１は、位置検出装置９が出力する位置情報をその画像情報に対応付ける。そして、情報関連付け部１２は、画像情報に対応付けられた位置情報と、移動経路情報の位置情報とに基づいて、移動経路情報と画像情報とを関連付ける。
【００５５】
次に、図４を参照しながら、移動経路情報記録部１０が移動経路情報を記録する処理（以下、「移動経路情報記録処理」とする。）について説明する。なお、図４は、移動経路情報記録処理の流れを示すフローチャートであり、移動経路情報記録部１０は、移動経路情報の記録を開始させてからその記録を終了するまでこの移動経路情報記録処理を所定周期で繰り返し実行する。
【００５６】
最初に、移動経路情報記録部１０は、時間情報を取得する（ステップＳ１）。本実施例では、移動経路情報記録部１０は、制御装置１のリアルタイムクロック等が出力する現在時刻に関する情報を取得する。
【００５７】
また、移動経路情報記録部１０は、位置情報を取得する（ステップＳ２）。本実施例では、移動経路情報記録部１０は、位置検出装置９が出力する携帯端末装置４０の位置（緯度、経度、高度）を含む位置情報を取得する。
【００５８】
なお、ステップＳ１及びステップＳ２の実行順は不同であり、ステップＳ２がステップＳ１の前に実行されてもよく、同時に実行されてもよい。
【００５９】
その後、移動経路情報記録部１０は、時間情報と位置情報とを対応づけて移動経路情報データベース内に記録する（ステップＳ３）。
【００６０】
次に、図５を参照しながら、情報対応付け部１１が位置情報と管理対象情報とを対応付ける処理（以下、「情報対応付け処理」とする。）について説明する。なお、図５は、情報対応付け処理の流れを示すフローチャートであり、情報対応付け部１１は、移動経路情報記録部１０が移動経路情報記録処理を実行している間、移動経路情報記録処理と同じ制御周期でこの情報対応付け処理を繰り返し実行する。但し、情報対応付け部１１は、移動経路情報記録部１０が移動経路情報記録処理を実行している間、移動経路情報記録処理と異なる制御周期でこの情報対応付け処理を繰り返し実行してもよい。
【００６１】
最初に、情報対応付け部１１は、管理対象情報の記録或いは出力が行われたか否か、すなわち、所定のイベントが発生したか否かを判断する（ステップＳ１１）。本実施例では、情報対応付け部１１は、車載カメラ２で車室内の撮像が行われたか否か、携帯端末装置４０若しくは車載装置５０で楽曲の再生を開始したか否か、或いは、車室内において所定レベル以上の音量で会話が行われたか否か等を判断する。
【００６２】
管理対象情報の記録或いは出力が行われていないと判断した場合（ステップＳ１１のＮＯ）、情報対応付け部１１は、今回の情報対応付け処理を終了させる。位置情報と対応づけるべき管理対象情報が存在しないためである。
【００６３】
一方、管理対象情報の記録或いは出力が行われたと判断した場合（ステップＳ１１のＹＥＳ）、情報対応付け部１１は、位置情報を取得する（ステップＳ１２）。本実施例では、情報対応付け部１１は、位置検出装置９が出力する携帯端末装置４０の位置（緯度、経度、高度）を含む位置情報を取得する（ステップＳ１２）。
【００６４】
その後、情報対応付け部１１は、記録或いは出力が行われた管理対象情報と位置情報とを対応付けて管理対象情報データベース内に記録する（ステップＳ１３）。
【００６５】
次に、図６を参照しながら、制御装置１が移動経路情報に関連付けられた管理対象情報を再出力する処理、すなわち、ドライブ記録を再生する処理（以下、「ドライブ記録再生処理」とする。）について説明する。なお、図６は、ドライブ記録再生処理の流れを示すフローチャートであり、制御装置１は、ユーザによる所定の操作入力に応じてこのドライブ記録再生処理を実行する。
【００６６】
最初に、制御装置１の情報関連付け部１２は、位置情報を結合キーとして、移動経路情報データベースと管理対象情報データベースとを結合する（ステップＳ２１）。
【００６７】
また、制御装置１は、ドライブ記録を特定する情報を取得する（ステップＳ２２）。本実施例では、制御装置１は、タッチパネル３を介したユーザの操作入力に応じて、ユーザが再生しようとするドライブ記録の識別番号、日時、名称等を取得する。
【００６８】
なお、ステップＳ２１及びステップＳ２２の実行順は不同であり、ステップＳ２２がステップＳ２１の前に実行されてもよく、同時に実行されてもよい。
【００６９】
その後、制御装置１の情報再出力部１３は、ドライブ記録を特定する情報を抽出キーとして、特定されたドライブ記録に関する情報を、結合されたデータベースから抽出する（ステップＳ２３）。
【００７０】
その後、情報再出力部１３は、抽出されたデータベースに基づいて、管理対象情報を時系列で出力する（ステップＳ２４）。本実施例では、情報再出力部１３は、表示装置６にドライブ記録再生画面を表示し、抽出されたデータベースに基づいて、特定されたドライブ記録を再生する。
【００７１】
図７は、情報再出力部１３が表示するドライブ記録再生画面の例を示す。図７のドライブ記録再生画面は、出発地を表す出発地アイコンＧ１、目的地を表す目的地アイコンＧ２、出発地から目的地までの経路を表す経路画像Ｇ３、再生中の現在地を表す現在地アイコンＧ４ａ、Ｇ４ｂ、画像情報を表す画像アイコンＧ５ａ、Ｇ５ｂ、音声情報を表す音声アイコンＧ６ａ、Ｇ６ｂ、再生・中止ボタンＧ７、再生の進捗状況を表すプログレスバーＧ８、及び、詳細表示領域Ｇ９を含む。また、ドライブ記録再生画面の背景には地図画像が表示されていてもよい。また、詳細表示領域Ｇ９は、必要に応じてポップアップ表示される領域であってもよい。
【００７２】
ユーザは、再生・中止ボタンＧ７をタップしてドライブ記録の再生を開始する。ドライブ記録の再生が開始されると、情報再出力部１３は、出発地アイコンＧ１から目的地アイコンＧ２に向かい経路画像Ｇ３に沿って現在地アイコンＧ４ａを移動させる。また、情報再出力部１３は、現在地アイコンＧ４ａが通り過ぎた後の経路画像Ｇ３の部分を黒色で表示し、未だ現在地アイコンＧ４ａが通り過ぎていない経路画像Ｇ３の部分を灰色で表示する。同様に、情報再出力部１３は、プログレスバーＧ８上を左端から右端に向かい現在地アイコンＧ４ｂを移動させる。また、情報再出力部１３は、現在地アイコンＧ４ｂが通り過ぎた後のプログレスバーＧ８の部分を黒色で表示し、未だ現在地アイコンＧ４ｂが通り過ぎていないプログレスバーＧ８の部分を灰色で表示する。
【００７３】
管理対象情報としての画像情報を表す画像アイコンＧ５ａ、Ｇ５ｂが対応付けられた位置に現在地アイコンＧ４ａが達すると、情報再出力部１３は、ポップアップさせた詳細表示領域Ｇ９にその画像情報を表示する。また、管理対象情報としての音声情報を表す音声アイコンＧ６ａ、Ｇ６ｂが対応付けられた位置に現在地アイコンＧ４ａが達すると、情報再出力部１３は、その音声情報を音声出力装置８から音声出力する。
なお、ユーザは、プログレスバーＧ８上の現在地アイコンＧ４ｂを左右にドラッグすることによって、現在地アイコンＧ４ｂをプログレスバーＧ８上の所望の位置に移動させることができる。その結果、ユーザは、現在地アイコンＧ４ａを経路画像Ｇ３上の所望の位置に移動させることができる。なお、ユーザは、経路画像Ｇ３上の所望の位置をタップすることによって現在地アイコンＧ４ａを経路画像Ｇ３上の所望の位置に移動させてもよい。
【００７４】
このようにして、情報再出力部１３は、移動経路と、乗車中又は離車中に撮像された画像、乗車中又は離車中に再生された音楽、車室内で録音された会話内容等とを含むドライブ記録を、それぞれのイベントが発生した順番、間隔等をユーザが把握できるように再生することができる。
【００７５】
以上の構成により、携帯端末装置４０は、自身が記録或いは出力する管理対象情報に加え、車載装置５０が記録或いは出力する管理対象情報にも位置検出装置９が検出する位置情報を対応付けることができる。その結果、携帯端末装置４０は、より詳細なドライブ記録の作成を支援することができる。
【００７６】
また、携帯端末装置４０は、位置検出装置９が検出する位置情報に基づいて移動経路情報を記録する。その上で、携帯端末装置４０は、位置情報を利用して、自身及び車載装置５０が記録或いは出力した管理対象情報をその移動経路情報に関連付けることができる。その結果、携帯端末装置４０は、より詳細なドライブ記録を作成することができる。
【００７７】
また、携帯端末装置４０は、移動経路情報に関連付けられた管理対象情報が記録或いは出力された位置、順番、間隔等をユーザが容易に認識できる態様で再出力することができる。その結果、携帯端末装置４０は、より詳細なドライブ記録を再出力することができる。
【００７８】
以上、本発明の好ましい実施例について詳説したが、本発明は、上述した実施例に制限されることはなく、本発明の範囲を逸脱することなく、上述した実施例に種々の変形及び置換を加えることができる。
【００７９】
例えば、上述の実施例では、移動経路情報記録部１０、情報対応付け部１１、情報関連付け部１２、及び情報再出力部１３は、携帯端末装置４０の制御装置１で実行されるが、それらの一部又は全部は、車載装置５０の制御装置１Ｖで実行されてもよい。
【００８０】
また、上述の実施例では、位置情報は、携帯端末装置４０の位置検出装置９が出力する情報であるが、車載装置５０に接続される車載の位置検出装置が出力する情報であってもよい。
【００８１】
この構成により、車載装置５０は、自身が記録或いは出力する管理対象情報に加え、携帯端末装置４０が記録或いは出力する管理対象情報にも位置情報を対応付けることができる。その結果、車載装置５０は、より詳細なドライブ記録の作成を支援することができる。
【００８２】
また、車載装置５０は、位置情報に基づいて移動経路情報を記録する。その上で、車載装置５０は、位置情報を利用して、自身及び携帯端末装置４０が記録或いは出力した管理対象情報をその移動経路情報に関連付けることができる。その結果、車載装置５０は、より詳細なドライブ記録を作成することができる。
【００８３】
また、車載装置５０は、移動経路情報に関連付けられた管理対象情報が記録或いは出力された位置、順番、間隔等をユーザが容易に認識できる態様で再出力することができる。その結果、車載装置５０は、より詳細なドライブ記録を再出力することができる。
【００８４】
また、情報処理システム１００は、携帯端末装置４０及び車載装置５０のそれぞれが記録或いは出力する管理対象情報に位置情報を対応付けることができる。その結果、情報処理システム１００は、より詳細なドライブ記録の作成を支援することができる。
【００８５】
また、情報処理システム１００は、位置情報に基づいて移動経路情報を記録する。その上で、情報処理システム１００は、位置情報を利用して、携帯端末装置４０及び車載装置５０のそれぞれが記録或いは出力した管理対象情報をその移動経路情報に関連付けることができる。その結果、情報処理システム１００は、より詳細なドライブ記録を作成することができる。
【００８６】
また、情報処理システム１００は、移動経路情報に関連付けられた管理対象情報が記録或いは出力された位置、順番、間隔等をユーザが容易に認識できる態様で再出力することができる。その結果、情報処理システム１００は、より詳細なドライブ記録を再出力することができる。
【００８７】
また、上述の実施例では、情報関連付け部１２及び情報再出力部１３は、ウェブ又はＳＮＳ(Social Networking System)上で実行されてもよい。この場合、移動経路情報データベース、管理対象情報データベース、移動経路情報データベース及び管理対象情報データベースに基づいて作成される二次的なデータベース、並びに、管理対象情報自体等の関連情報は、必要に応じて、ウェブ又はＳＮＳ上で実行される情報関連付け部１２及び情報再出力部１３がアクセス可能な場所に保存される。
【００８８】
また、上述の実施例では、携帯端末装置４０は、ドック３０に装着された場合に、携帯端末装置４０と車載装置５０との間で無線通信を確立する。しかしながら、本発明はこれに限定されるものではない。例えば、携帯端末装置４０は、運転席の周囲の所定領域に進入した場合に携帯端末装置４０と車載装置５０との間で無線通信を確立してもよい。
【符号の説明】
【００８９】
１・・・制御装置  ２・・・情報取得装置  ２Ｖ・・・車載カメラ  ３、３Ｖ・・・タッチパネル  ４、４Ｖ・・・通信装置  ５、５Ｖ・・・記憶装置  ６、６Ｖ・・・表示装置  ７、７Ｖ・・・音声入力装置  ８、８Ｖ・・・音声出力装置  ９・・・位置検出装置  １０・・・移動経路情報記録部  １１・・・情報対応付け部  １２・・・情報関連付け部  １３・・・情報再出力部  ３０・・・ドック  ３０Ｌ・・・左ガイド部  ３０Ｒ・・・右ガイド部  ４０・・・携帯端末装置  ５０・・・車載装置  ７０・・・ステアリング  １００・・・情報処理システム
【図１】
2014048831.tif 000003
【図２】
2014048831.tif 000004
【図３】
2014048831.tif 000005
【図４】
2014048831.tif 000006
【図５】
2014048831.tif 000007
【図６】
2014048831.tif 000008
【図７】
2014048831.tif 000009